(57)【要約】【課題】金融商品の広告画面を安価に作成，表示する。【解決手段】制御部１０が、入力部４から入力された金融商品の種別に対応する１次情報と、１次情報を表示部３に表示する際に合わせて表示する付属情報の表示領域に関する情報とを読み出し、読み出された１次情報内における最大文字サイズを検出する。次に制御部１０は、検出された最大文字サイズと付属情報の表示領域の大きさとに基づいて表示領域内に表示可能な最大文字数を決定し、決定された最大文字数に基づいて付属情報格納部７から表示領域に表示する付属情報を読み出す。そして制御部１０は、読み出された１次情報と付属情報とを表示部５に表示する。【選択図】図１
2010113031.tif 000002
【特許請求の範囲】
【請求項１】
コンピュータにより実行される表示方法であって、
入力部から入力された識別情報に対応する１次情報及び当該１次情報の付属情報の表示領域に関する情報を、識別情報、１次情報及び当該１次情報の付属情報の表示領域に関する情報が対応づけて格納された１次情報格納部から読み出すステップと、
読み出された前記１次情報内の文字の文字サイズを検出するステップと、
読み出された前記１次情報の付属情報の表示領域内に前記文字サイズで表示可能な最大文字数を決定するステップと、
付属情報格納部に格納された、前記１次情報の、文字数が異なる、複数の付属情報の中から、前記文字数以下且つ該文字数に最も近い文字数の付属情報を選択するステップと、
前記１次情報を前記表示部に表示すると共に、前記選択された付属情報を前記文字サイズで前記表示部の前記付属情報の表示領域に表示するステップと
を有することを特徴とする情報表示方法。
【請求項２】
同一の利用者に対し前記１次情報を既に出力したか否かを判別するステップと、
同一の利用者に対して前記１次情報を既に表示したと判別された場合に該利用者に対する前記付属情報の表示領域の大きさを変更するステップと
を更に有することを特徴とする請求項１に記載の表示方法。
【請求項３】
入力部から入力された識別情報に対応する１次情報及び当該１次情報の付属情報の表示領域に関する情報を、識別情報、１次情報及び当該１次情報の付属情報の表示領域に関する情報が対応づけて格納された１次情報格納部から読み出すステップと、
読み出された前記１次情報内の文字の最大のサイズである最大文字サイズを検出するステップと、
読み出された前記１次情報の付属情報の表示領域内に前記最大文字サイズで表示可能な最大文字数を決定するステップと、
付属情報格納部に格納された、前記１次情報の、文字数が異なる、複数の付属情報の中から、前記最大文字数以下且つ該最大文字数に最も近い文字数の付属情報を選択するステップと、
前記１次情報を前記表示部に表示すると共に、前記選択された付属情報を前記文字サイズで前記表示部の前記付属情報の表示領域に表示するステップと
をコンピュータに実行させることを特徴とする表示プログラム。
【請求項４】
表示部と、
識別情報、１次情報及び当該１次情報の付属情報の表示領域に関する情報を対応付けて格納する１次情報格納部と、
前記１次情報の、文字数が異なる、複数の付属情報を格納する付属情報格納部と、
表示を要求する情報の識別情報を入力する入力部と、
前記入力部から入力された識別情報に対応する１次情報及び当該１次情報の付属情報の表示領域に関する情報を前記１次情報格納部から読み出し、読み出された１次情報内の文字サイズを検出し、読み出された前記１次情報の付属情報の表示領域内に該文字サイズで表示可能な最大文字数を決定し、前記１次情報の付属情報を前記付属情報格納部から読み出し、前記最大文字数以下且つ該文字数に最も近い文字数の付属情報を選択し、前記読み出された１次情報を前記表示部に表示すると共に、前記選択された付属情報を前記文字サイズで前記表示部の前記付属情報の表示領域に表示する制御部と
を備えることを特徴とする表示装置。
【発明の詳細な説明】
【技術分野】
【０００１】
本発明は、表示画面に情報を表示する表示方法、表示プログラム、及び表示装置に関する。
【背景技術】
【０００２】
従来より、液晶画面やＰＤＰ（Plasma Display Panel）等の表示画面に商品やサービスの広告といった情報を表示する表示装置が知られている。
【特許文献１】特開２００４−１７１３１９号公報
【発明の開示】
【発明が解決しようとする課題】
【０００３】
この情報を表示する際に、リスク情報などの付属情報を併せて表示することがある。
【０００４】
例えば、金融商品取引法第３７条には、金融商品の広告を表示する際には、広告内の最大の文字の大きさと著しく異ならない大きさでその金融商品に関する注意事項（リスク情報，付属情報，２次情報）を合わせて表示することが定められている。このような背景から、従来の表示装置を利用して金融商品の広告を表示する場合、金融商品の内容や広告内の文字の大きさを考慮して同一画面内に注意事項を含む広告画面のデータを金融商品毎に作成する必要があった。
【０００５】
本発明は上記課題に鑑みてなされたものであり、その目的は１次情報の文字の大きさ（文字サイズ）を考慮せずに、画面を構成する１次情報および付属情報を個別に作成しても、適切に表示可能な表示方法、表示プログラム、及び表示装置を提供することにある。
【課題を解決するための手段】
【０００６】
表示方法、表示プログラム、及び表示装置は、１次情報内における最大文字サイズで、付属情報の表示領域内に表示可能な最大文字数を求め、文字数が異なる複数の付属情報の中からこの最大文字数以下の文字数の付属情報を選択し、、１次情報とともに表示部に表示する。すなわち表示方法、表示プログラム、及び表示装置は、広告情報と付属情報とを明示的に分け、１次情報の最大文字サイズから最適な付属情報を選択して１次情報と共に表示部に表示する。
【発明の効果】
【０００７】
表示方法、表示プログラム、及び表示装置によれば、１次情報の文字サイズを考慮せずに、画面を構成する１次情報および付属情報を個別に作成しても，適切に表示することができる。
【発明を実施するための最良の形態】
【０００８】
以下、図面を参照して、本発明の一実施形態となる表示装置の構成とその広告表示方法について説明する。
〔表示装置の全体構成〕
始めに、図１を参照して、本発明の一実施形態となる表示装置の全体構成について説明する。
【０００９】
本発明の一実施形態となる表示装置は、図１に示すように、表示端末装置１と表示制御装置２を有する。表示端末装置１は、表示部３，入力部４，及び撮像部５を含む。表示部３は、液晶表示装置やＰＤＰ装置等の表示装置である。表示部３は、表示制御装置２の制御に従って金融商品の広告画面を表示する。入力部４は、テンキー，キーボード，表示部３に設けられたタッチパネル，マイクロフォン等の入力装置である。入力部４は、利用者からの入力情報を表示制御装置２に出力する。撮像部５は、デジタルスチルカメラ等の撮像装置である。撮像部５は、表示制御装置２の制御に従って表示端末装置１の利用者の画像を撮像し、撮像画像のデータを表示制御装置２に出力する。
【００１０】
表示制御装置２は、１次情報格納部６，付属情報格納部７，表示履歴格納部８，記憶部９，及び制御部１０を含む。１次情報格納部６，付属情報格納部７，及び記憶部９はＲＯＭ（Read Only Memory）等の不揮発性の記憶装置であり、表示履歴格納部８はＲＡＭ（Random Access Memory）等の揮発性の記憶装置である。制御部１０は、ＣＰＵ（Central Processing Unit）等の演算処理装置である。１次情報格納部６は、表示部３に表示する金融商品の広告情報（以下、１次情報と表記）のデータを金融商品の種別毎に記憶する。
【００１１】
付属情報格納部７は、１次情報と共に表示部３に表示する金融商品の付属情報のデータを記憶する。表示履歴格納部８は、表示部３に表示した１次情報の種別を記憶する。記憶部９は、表示装置全体の動作が規定された表示制御プログラム１１を記憶する。制御部１０は、記憶部９に記憶されている表示制御プログラム１１を実行することにより、表示装置全体の動作を制御する。
〔１次情報格納部６のデータ形式〕
次に、図２を参照して、１次情報格納部６に格納されるデータの形式について説明する。
【００１２】
１次情報格納部６に格納されるデータは、図２に示すように、金融商品の種別（商品１，商品２，…）、つまり、表示情報を識別する識別情報毎に予め作成されている。各識別情報毎に、付属情報の表示領域の大きさが異なる複数の１次情報を有する。各１次情報は、表示部３に表示するイメージ及びテキストのデータ（商品データ），付属情報の表示位置及び表示領域の大きさ，及び商品データと共に表示する付属情報の種別（付属情報適用パターン）を含む。本実施形態では、表示部３に表示するイメージ及びテキストの内容，大きさ，及び文字数は、付属情報の表示領域の大きさに合わせて１次情報間で異なっている。但し、表示部３に表示するイメージ及びテキストの内容，大きさ，及び文字数を１次情報間で同じものとし、表示部３に表示する際、付属情報の表示領域の大きさに合わせてイメージ及びテキストを拡大／縮小するようにしてもよい。
〔付属情報格納部７のデータ形式〕
次に、図３を参照して、付属情報格納部７に格納されるデータの形式について説明する。
【００１３】
付属情報格納部７に格納されるデータは、上述した付属情報の種別（付属情報適用パターン）毎に予め作成され、図３に示すように、文字数が異なる（＝詳細度が異なる）複数パターンの付属情報のテキストデータを含む。付属情報のテキストデータには文字情報と共に文字数の情報も含まれる。図３に示す例では、パターンＡの付属情報は基準価額の変動要因リスクを列記したものである。これに対してパターンＢの付属情報は、パターンＡの付属情報よりも多くの文字数を用いることにより各変動要因リスクの内容を詳細に説明している。
〔広告表示処理〕
このような構成を有する表示装置では、制御部１０が、以下に示す広告表示処理を実行することにより、表示部３に金融商品の広告画面を表示する。以下、図４に示すフローチャートを参照して、この広告表示処理を実行する際の制御部１０の動作について金融商品の広告表示を例に詳しく説明する。図４に示すフローチャートは、入力部４を操作することにより利用者が金融商品の広告情報の表示要求を入力したタイミングで開始となり、表示処理はステップＳ１の処理に進む。
【００１４】
ステップＳ１の処理では、制御部１０が、撮像部５を制御することにより利用者の画像を検出する。これにより、ステップＳ１の処理は完了し、表示処理はステップＳ２の処理に進む。
【００１５】
ステップＳ２の処理では、制御部１０が、利用者が入力した表示要求に含まれる識別情報に対応する１次情報、付属情報表示領域情報及び付属情報適用パターンを１次情報格納部６から読み出す。そして制御部１０は、読み出された１次情報内で最大の文字の文字サイズを検出する。なお、本実施例では最大の文字の文字サイズを検出することとしたが、これとは別に、１次情報内で最も多く使われている文字の文字サイズを検出しても良い。また、予め規定された商品名などの特定の文字列の文字サイズを検出してもよい。なお１次情報が、イメージデータである場合については、制御部１０は、画像からの文字認識等の技術を利用してイメージデータ内に含まれる文字（キャラクタ）を切り出し、その大きさを文字サイズとして検出する。また制御部１０は、表示履歴格納部８を参照して表示要求に対応する広告情報を以前に表示したことがないと判断した場合には、付属情報の表示領域の大きさが最も大きい１次情報を読み出す。これにより、ステップＳ２の処理は完了し、表示処理はステップＳ３の処理に進む。
【００１６】
ステップＳ３の処理では、制御部１０が、ステップＳ２の処理により検出された文字サイズに従って表示要求に対応する１次情報を表示部３に表示する際に合わせて表示する付属情報の文字サイズを決定する。既述の通り、金融商品取引法第３７条には、金融商品の広告を表示する際には、広告の最大文字サイズと著しく異ならない文字サイズで付属情報を合わせて表示することが定められている。そこで制御部１０は、付属情報の文字サイズをステップＳ２の処理により検出された最大の文字サイズと同等の大きさに設定する。これにより、ステップＳ３の処理は完了し、表示処理はステップＳ４の処理に進める。
【００１７】
ステップＳ４の処理では、制御部１０が、ステップＳ２の処理により読み出された付属情報の表示領域の大きさとステップＳ３の処理により決定された付属情報の文字サイズに基づいて、付属情報の表示領域内に表示可能な付属情報の最大文字数を算出する。これにより、ステップＳ４の処理は完了し、表示処理はステップＳ５の処理に進む。
【００１８】
ステップＳ５の処理では、制御部１０が、付属情報格納部７から、ステップＳ２の処理により読み出された付属情報適用パターンを読み出し、ステップＳ４の処理により算出された最大文字数以下の付属情報を選択する。なおこの処理において複数の付属情報が条件を満たす場合、制御部１０は選択された２次情報の中で文字数が最も多い（＝詳細度が高い）ものを選択する。これにより、ステップＳ５の処理は完了し、表示処理はステップＳ６の処理に進む。
【００１９】
ステップＳ６の処理では、制御部１０が、１次情報内で規定されている表示形態に従って、ステップＳ２の処理により読み出された１次情報とステップＳ５の処理により選択された付属情報を含む画面表示情報を作成し、作成された画面表示情報を表示部３に表示する。これにより、ステップＳ６の処理は完了し、表示処理はステップＳ７の処理に進む。
【００２０】
ステップＳ７の処理では、制御部１０が、表示部３に表示した金融商品の種別に関する情報（識別情報）を表示履歴格納部８に記憶する。これにより、ステップＳ７の処理は完了し、表示処理はステップＳ８の処理に進む。
【００２１】
ステップＳ８の処理では、制御部１０が、入力部４を操作することにより利用者が他の金融商品の広告情報の表示要求を入力したか否かを判別する。そして制御部１０は、他の金融商品の広告情報の表示要求が入力されたタイミングで表示処理をステップＳ９の処理に進める。
【００２２】
ステップＳ９の処理では、制御部１０が、撮像部５を制御することにより利用者の画像を検出する。これにより、ステップＳ９の処理は完了し、表示処理はステップＳ１０の処理に進む。
【００２３】
ステップＳ１０の処理では、制御部１０が、パターンマッチング等の公知技術を利用してステップＳ１の処理により検出された利用者の画像とステップＳ９の処理により検出された利用者の画像とを比較することにより、前回表示要求を入力した利用者と今回表示要求を入力した利用者が同一人物であるか否かを判別する。そして判別の結果、同一人物でない場合、制御部１０は、表示履歴格納部８に記憶されているデータを消去した後、表示処理をステップＳ２の処理に進める。一方、同一人物である場合には、制御部１０は表示処理をステップＳ１１の処理に進める。
【００２４】
ステップＳ１１の処理では、制御部１０は、表示要求に対応する金融商品の種別（識別情報）と表示履歴格納部７に記憶されている金融商品の種別（識別情報）とを比較することにより、表示要求に対応する金融商品の広告情報が既に利用者に対し表示済みであるか否かを判別する。判別の結果、表示済みでない場合には、制御部１０は表示処理をステップＳ２の処理に進める。一方、表示済みである場合には、制御部１０は表示処理をステップＳ１２の処理に進める。
【００２５】
ステップＳ１２の処理では、制御部１０は、図５（ａ），（ｂ）に示すように、表示要求に対応する１次情報を表示部３に表示する際に合わせて表示する付属情報の表示領域を前回表示時よりも縮小する。具体的には、制御部１０は、ステップＳ２の処理において、付属情報の表示領域の大きさが前回の処理における付属情報の表示領域の大きさよりも小さい（＝１次情報の表示領域が大きい）１次情報を選択するようにする。なお、前回表示時の付属情報の表示領域の大きさが最小の大きさである場合、制御部１０は付属情報の表示領域の大きさを前回表示時の大きさと同じに設定する。これにより、ステップＳ１２の処理は完了し、表示処理はステップＳ２の処理に戻る。
【００２６】
以上の説明から明らかなように、本発明の実施形態となる表示装置では、制御部１０が、入力部４から入力された金融商品の種別に対応する１次情報と、１次情報を表示部３に表示する際に合わせて表示する付属情報の表示領域に関する情報とを読み出し、読み出された１次情報内における最大文字サイズを検出する。次に制御部１０は、検出された最大文字サイズと付属情報の表示領域の大きさとに基づいて表示領域内に表示可能な最大文字数を決定し、決定された最大文字数に基づいて付属情報格納部７から表示領域に表示する付属情報を読み出す。そして制御部１０は、読み出された１次情報と付属情報とを表示部５に表示する。
【００２７】
このような表示方法によれば、従来までのように１次情報の文字サイズを考慮することなく、画面を構成する１次情報および付属情報を個別に作成しても，適切に表示することができる。このような広告表示方法は、スクロール操作ができない限られた画面サイズの表示部に１次情報と付属情報とを同時に表示する際に特に有効である。
【００２８】
また本発明の実施形態となる表示装置では、制御部１０が、同一の利用者に対し１次情報を既に表示したか否かを判別し、同一の利用者に対して１次情報を既に表示したと判別された場合、付属情報の表示領域の大きさを縮小する。このような金融商品の広告表示方法によれば、一度広告を閲覧した金融商品の付属情報が再度表示されることによって利用者が感じる煩わしさを軽減すると共に１次情報の広告効果を高めることができる。
【００２９】
なお上記実施形態では、制御部１０は、撮像部５により利用者の画像を撮像することにより一連の広告表示処理において利用者が同一人物であるか否かを判別し、同一人物である場合、表示履歴格納部８を参照して同じ金融商品の広告を表示したか否かを判別したが、この処理は以下のようにして実行してもよい。すなわち図６に示すように、制御部１０が、利用者が所有する携帯端末装置１２やＩＣカード内に記憶された固有の識別情報を表示端末装置１側に設けられた読取装置１３により読み取り、利用者履歴格納部１４内から読み取られた識別情報に対応する利用者属性（例えば金融商品の表示履歴等）を読み出す。そして制御部１０は、読み出された利用者属性に応じて同じ金融商品の広告を以前に表示したか否かを判別する。このような処理によれば、利用者の画像解析等の処理が不要になると共に、利用者が一度表示装置から離れた後に再度表示装置を操作した場合であっても同じ金融商品の広告を以前に表示したか否かを判別することができる。また、人感センサによって利用者の接近を検出し、検出しなくなるまでを同一利用者による操作とみなすよう構成しても良い。
【００３０】
以上、本発明者らによってなされた発明を適用した実施の形態について説明したが、この実施形態による本発明の開示の一部をなす記述及び図面により本発明は限定されることはない。例えば上記実施形態では、１次情報の表示領域内に付属領域の表示領域を設けて１次情報と付属情報を合わせて表示したが、図７（ａ）に示すように、１次情報の表示領域上に付属情報をポップアップ表示し、入力部４を操作することにより利用者がポップアップ表示中の確認ボタン１４を操作するのに応じて付属情報の表示を消去するようにしてもよい。なおこの場合、確認ボタン１４を操作する代わりに、所有する携帯端末装置１２やＩＣカード内に記憶された固有の識別情報を利用者が読取装置１３に読み取らせるようにしてもよい。このような処理によれば、利用者が付属情報を閲覧したか否かの情報を利用者履歴格納部１４に確実に記憶させることができる。このように、本実施形態に基づいて当業者等によりなされる他の実施の形態、実施例及び運用技術等は全て本発明の範疇に含まれる。
【図面の簡単な説明】
【００３１】
【図１】本発明の一実施形態となる表示装置の構成を示すブロック図である。
【図２】図１に示す１次情報格納部内に格納される１次情報のデータ形式の一例を示す図である。
【図３】図１に示す付属情報格納部内に格納される付属情報のデータ形式の一例を示す図である。
【図４】本発明の一実施形態となる広告表示処理の流れを示すフローチャート図である。
【図５】同一の１次情報を表示する場合における、（ａ）１回目の広告表示処理における付属情報の表示領域の大きさと、（ａ）２回目以後の広告表示処理における付属情報の表示領域の大きさを示す図である。
【図６】図１に示す表示装置の変形例を示すブロック図である。
【図７】付属情報の表示形態の変形例を示す模式図である。
【符号の説明】
【００３２】
１：表示端末装置
２：表示制御装置
３：表示部
４：入力部
５：撮像部
６：１次情報格納部
７：付属情報格納部
８：表示履歴格納部
９：記憶部
１０：制御部
１１：表示制御プログラム
１２：携帯端末装置
１３：読取装置
１４：利用者履歴格納部
【図１】
2010113031.tif 000003
【図２】
2010113031.tif 000004
【図３】
2010113031.tif 000005
【図４】
2010113031.tif 000006
【図５】
2010113031.tif 000007
【図６】
2010113031.tif 000008
【図７】
2010113031.tif 000009